(57)【要約】  フィルタ組立体内に搭載されたフィルタを通る流体の制限された流れを知らせるのに適したインジケータが開示されている。このインジケータは、内部空洞を有するハウジングを含んでいる。ダイヤフラムがハウジング内に配置され、その内部空洞をシールで第１及び第２の部屋に分離している。第１の部屋は、流体がフィルタ組立体と連通するようになされ、ダイヤフラムは、第１及び第２の部屋内に加えられた圧力に応じて中立位置から変形可能である。孔を有するタブ組立体が、インジケータ内に、第１の部屋から見たダイヤフラムの反対側に含まれている。タブ組立体はまたフラグを含み、このフラグは、第１の軸に沿って、フラグがハウジング内にある第１の位置と、フラグがハウジングから延びた第２の位置とから移動可能である。ピンが、動作可能にダイヤフラムに結合され、ダイヤフラムが中立位置にある時には第２の軸に沿って上記孔の中へと突出している。第１の位置から第２の位置へのフラグの動きは、ダイヤフラムが或る選択された量だけ中立位置から第１の部屋へと変形され、これによりピンがタブ組立体から外れるのに応じて、行なわれる。【選択図】図２Ｂ
2008528856.tif 000002
【特許請求の範囲】
【請求項１】
フィルタ組立体内に搭載されたフィルタを通る流体の制限された流れを知らせるのに適したインジケータであって、
内部空洞を有するハウジングと、
該ハウジング内に配置され、ほぼ液漏れ防止のシールで前記内部空洞を第１及び第２の部屋に分離する変形可能なダイヤフラムであって、前記第１の部屋は流体が前記フィルタ組立体と連通しており、前記ダイヤフラムは前記第１及び第２の部屋内に加わる圧力に応じて中立位置から変形可能であるダイヤフラムと、
内部を貫通する孔を有し、前記第１の部屋から見た前記ダイヤフラムの反対側にあるタブ組立体であって、該タブ組立体はフラグを含み、該フラグは、該フラグが前記ハウジング内にある第１の位置と、該フラグが前記ハウジングから延びた第２の位置とから、第１の軸に沿って移動可能であるタブ組立体と、
前記ダイヤフラムに動作可能に結合され、前記ダイヤフラムが少なくとも前記中立位置にある時は第２の軸に沿って前記ダイヤフラムから前記孔の中へ前記タブ組立体を通って突出するピンであって、前記第２の軸が前記第１の軸と非平行であるピンとを備え、
前記第１の位置から前記第２の位置への前記フラグの動きは、前記ダイヤフラムが或る選択された量だけ前記中立位置から前記第１の部屋へと変形し、前記ピンが前記タブ組立体から外れるのに応じて、行なわれる、
ことを特徴とするインジケータ。
【請求項２】
前記ダイヤフラムは、前記中立位置から前記第１の部屋への動きに付勢部材で抵抗することを特徴とする請求項１記載のインジケータ。
【請求項３】
前記付勢部材はバネであることを特徴とする請求項２記載のインジケータ。
【請求項４】
前記バネは、前記第１の部屋内に、前記ハウジング及び前記ダイヤフラムに当接して配置されることを特徴とする請求項３記載のインジケータ。
【請求項５】
前記ダイヤフラムは、変形可能部材と、比較的堅固な内側部材とを含み、該内側部材が前記バネに干渉することを特徴とする請求項４記載のインジケータ。
【請求項６】
前記ダイヤメターは幅を有し、該ダイヤメターの幅は前記第２の軸に沿って測定された前記内部空洞の長さよりも広いことを特徴とする請求項１記載のインジケータ。
【請求項７】
前記ダイヤフラムは円形であり、前記幅は該円形のダイヤフラムの直径であることを特徴とする請求項６記載のインジケータ。
【請求項８】
前記タブ組立体はリセットバネを含み、前記タブ組立体は前記第１の位置において前記リセットバネで付勢され、前記第２の位置へと押されていることを特徴とする請求項１記載のインジケータ。
【請求項９】
前記リセットバネは前記ハウジング及びフラグに作用することを特徴とする請求項８記載のインジケータ。
【請求項１０】
前記第２の部屋内における前記ダイヤフラムと前記ダブ組立体との間に配置された案内板を更に備えることを特徴とする請求項８記載のインジケータ。
【請求項１１】
前記リセットバネは前記案内板及び前記フラグに作用することを特徴とする請求項１０記載のインジケータ。
【請求項１２】
前記案内板は、前記ピンを受け入れるようになされた孔を含むことを特徴とする請求項１０記載のインジケータ。
【請求項１３】
前記第１の軸は前記第２の軸に大体垂直であることを特徴とする請求項１記載のインジケータ。
【請求項１４】
フィルタ組立体内に搭載されたフィルタを通る流体の制限された流れを知らせるのに適したインジケータであって、
内部空洞を規定するベース及びカバーを有するハウジングと、
該ハウジング内に配置され、ほぼ液漏れ防止のシールで前記内部空洞を第１及び第２の部屋に分離する変形可能なダイヤフラムであって、前記ベース及びダイヤフラムが前記第１の部屋の少なくとも一部を規定し、前記カバー及びダイヤフラムが前記第２の部屋の少なくとも一部を規定するダイヤフラムと、
前記第１の部屋内に配置され、前記ベース及びダイヤフラムに作用することで前記ダイヤフラムの中立位置からからの動きに抵抗するキャリブレーションバネとを備え、
前記第１の部屋は液体が前記フィルタ組立体と連通するようになされ、前記ダイヤフラムは前記第１及び第２の部屋内に加わる圧力に応じて前記中立位置から変形可能であり、
内部を貫通する孔を有し、フラグ及びリセットバネを含み、前記第１の部屋から見た前記ダイヤフラムの反対側にあるタブ組立体であって、前記フラグは、該フラグが前記ハウジング内にある第１の位置と、該フラグが前記ハウジングから延びた第２の位置とから、第１の軸に沿って移動可能であるタブ組立体と、
前記第１の部屋内における前記ダイヤフラムと前記ダブ組立体との間に配置された案内板であって、該案内板は主表面を有し、該主表面が前記カバーから離れて配置されている案内板と、
前記ダイヤフラムに動作可能に結合され、前記ダイヤフラムが少なくとも前記中立位置にある時は第２の軸に沿って前記ダイヤフラムから前記案内板を通り前記孔の中へ前記タブ組立体を通って突出するピンであって、前記第２の軸が前記第１の軸と大体垂直であるピンとを備え、
前記フラグは前記第１の位置において付勢され、また、前記第１の位置から前記第２の位置への前記フラグの動きは、前記ダイヤフラムが或る選択された量だけ前記中立位置から前記第１の部屋へと変形し、前記ピンが前記タブ組立体から外れるのに応じて、行なわれる、
ことを特徴とするインジケータ。
【請求項１５】
前記キャリブレーションバネは圧縮バネであることを特徴とする請求項１４記載のインジケータ。
【請求項１６】
前記ベースは土台及びタップを含み、該タップはその中に凹部を規定する入り口を含み、前記キャリブレーションバネは前記凹部で配置されることを特徴とする請求項１５記載のインジケータ。
【請求項１７】
前記リセットバネは圧縮バネであることを特徴とする請求項１５記載のインジケータ。
【請求項１８】
前記案内板は、前記案内板の前記主表面を前記カバーのベースから離して配置するようになされた構造を含むことを特徴とする請求項１５記載のインジケータ。
【請求項１９】
フィルタを通る流体の制限された流れを知らせるためのインジケータであって、
前記流体の動きに応じ第１の軸に沿って動くようになされたダイヤフラムによって少なくとも一部が規定された部屋と、
前記ダイヤフラムが前記第１の軸に沿って所定距離だけ動くのに応じ、前記第１の軸に大体直交する第２の軸に沿って、第１の位置から、制限された流れの状態を示す第２の位置へと、フラグを移動させる手段と、
を備えることを特徴とするインジケータ。
【請求項２０】
前記ダイヤフラムは、堅固な内側ディスクと、柔軟な外側リング部分とを備え、該外側リング部分が前記第１の軸に大体平行なピンを含んでおり、
前記フラグを移動させる前記手段は、前記ピンが所定距離だけ動くのに応じて、前記インジケータを前記第１の位置から前記第２の位置へ移動させる、
ことを特徴とする請求項１９記載のインジケータ。
【請求項２１】
前記インジケータはカバーを含み、また、前記フラグを前記第１の位置から前記第２の位置へ移動させる前記手段は、前記フラグの一部を前記カバーから外へと移動させることを特徴とする請求項１９記載のインジケータ。
【請求項２２】
前記カバーは外部開口を有し、また、前記フラグを移動させる前記手段は、前記フラグの一部を、前記開口を通って前記第１の位置から前記第２の位置へ移動させ、前記フラグの一部は前記第２の位置において前記カバーの外側にあることを特徴とする請求項２１記載のインジケータ。
【請求項２３】
フィルタを通る流体の制限された流れを知らせる方法であって、
前記流体の動きに応じ、或る構成部分を第１の軸に沿って移動させることと、
前記構成部分が前記第１の軸に沿って所定距離だけ移動するのに応じ、フラグを、前記第１の軸に大体直交する第２の軸に沿って、第１の位置から、制限された流れの状態を示す第２の位置へと移動させることと、
を備えることを特徴とする方法。
【請求項２４】
前記流体の動きに応じ前記構成部分を第１の軸に沿って移動させることは、前記流体の動きに応じてピンを移動させることを備え、該ピンは、前記流体と連通する部屋のダイヤフラム部分に取り付けられていることを特徴とする請求項２３記載の方法。
【請求項２５】
前記フラグを前記第２の軸に沿って前記第１の位置から前記第２の位置へ移動させることは、前記フラグの一部を、孔を通ってインジケータの内部からインジケータの外部へ移動させることを備えることを特徴とする請求項２３記載の方法。
【発明の詳細な説明】
【技術分野】
【０００１】
本開示は、制限された流体流のためのインジケータに係る。特には、本開示は、フィルタを通る流体流が非所望の制限を受けた場合に信号を提供するフィルタシステムのための視覚インジケータに係る。
【背景技術】
【０００２】
多くのシステムが、動作するために、フィルタされた流体の取り入れ口を含んでおり、この種のシステムの一例が内燃機関である。内燃機関は、フィルタされた空気の取り入れ口を含んでおり、これは燃焼用のフィルタされた空気をシリンダへ供給するものである。その後、シリンダへの空気流が制限されていき、これがエンジンの性能に否定的な打撃を与えることになる。これらの性能低下には、ユーザが即座に気づくとは限らない。フィルタ組立体を取り外して調べることは、しばしば嫌気をさすものである。また、ユーザは、性能低下を起こすほどにフィルタが詰まっているのかどうかを視覚的に判断することはなかなかできない。従って、流体フィルタが非所望に制限されたことを示すための装置が必要とされる。
【０００３】
制限された流体流のための幾つかのタイプのインジケータが知られている。或る装置は、比較的高価なリアルタイムの圧力インジケータである。これらのリアルタイム圧力インジケータは、エンジンが停止して取り入れ口に空気の流れが存在しない場合、自らをリセットする。これらの装置は、エンジンのユーザがエンジンの作動中にエンジンを監視する場合に有用である。しかし、この種のインジケータは、エンジンの停止時にエンジンを保守又は修理しているサービスマンには、何も示さない。
【０００４】
コンプレッサが停止した後でも、制限された空気流を視覚的に示すようにした或る装置が、米国特許第５，６１６，１５７号に記載されている。この装置は、２つの部屋を分離する移動可能なボールを含んでいる。第１の部屋はフィルタされた空気流に連通しており、第２の部屋は周辺の大気に連通している。空気流が制限された結果として第１の部屋内の圧力が低下すると、ボールが第１の部屋内に引き寄せられる。ボールが或る閾値量だけ移動した後、コンプレッサが停止するか再始動した後に開放されたままとなっているインジケータフラグをボールが開放する。
【０００５】
しかしながら、制限された流体流のためのインジケータであって、流体流が停止した後に警報を維持する、比較的低価格で、応答性が良く、高精度なインジケータが、引き続き必要とされている。
【発明の開示】
【０００６】
本開示は、フィルタを通る流体流が非所望に制限された場合に信号を提供するフィルタシステムであって、該システムが停止した後に信号を維持するフィルタシステムのための、比較的低価格の視覚インジケータに係る。このインジケータは、応答性が良く高精度であり、広範囲の種類のシステム及び応用に適した比較的低い断面の装置として形成可能である。
【０００７】
特に、本開示は、フィルタ組立体内に搭載されたフィルタを通る流体の制限された流れを知らせるのに適したインジケータに係る。このインジケータは、内部空洞を有するハウジングを含んでいる。変形可能なダイヤフラムがハウジング内に配置され、内部空洞をほぼ液漏れ防止のシールで第１及び第２の部屋に分離している。第１の部屋は、流体がフィルタ組立体と連通するようになされ、ダイヤフラムは、第１及び第２の部屋内に加えられた圧力に応じて中立位置から変形可能である。タブ組立体が、インジケータ内に、第１の部屋から見たダイヤフラムの反対側に含まれている。タブ組立体は孔を含んでいる。タブ組立体はまたフラグを含み、このフラグは、第１の軸に沿って、フラグがハウジング内にある第１の位置と、フラグがハウジングから延びた第２の位置とから移動可能である。ピンが、動作可能にダイヤフラムに結合され、ダイヤフラムが少なくとも中立位置にある時には第２の軸に沿って上記孔の中へタブ組立体を通って突出している。第２の軸は、第１の軸に非平行である。第１の位置から第２の位置へのフラグの動きは、ダイヤフラムが或る選択された量だけ中立位置から第１の部屋へと変形され、ピンがタブ組立体から外れるのに応じて、行なわれる。
【０００８】
このインジケータは幾つかの利点を含んでおり、それら利点のうちの数個がここで述べられている。例えば、このインジケータは、低価格のポリマー部品を含んで簡単に製造することができる。このインジケータの設計は、これに関連する技術の他の例よりも高精度で応答性の良い、より大きなダイヤフラムに備えることができる。また、上述した第１及び第２の軸の動作は、これに関連する技術の幾つかの例よりも低い断面の装置に備えることができ、これにより、インジケータを狭い空間で、各種のシステム及び応用に使用することが可能になる。
【発明を実施するための最良の形態】
【０００９】
本開示は、制限された流体流のためのインジケータに関する。本開示は、図を含んでおり、幾つかの例についてインジケータを記載している。例えば、以下に述べるように、本開示は内燃機関で使用される空気流インジケータに関して話を進めている。しかし、本発明は、他のシステム内において、又は他の流体でも、同様に実行可能であることに注意すべきである。本発明は、空気流インジケータに関して記載したが、これはほんの一例を示したにすぎない。また、本開示はインジケータの特別な例を含んでいるが、本開示は決して以下の例に限定されるものではない。他の例についても、意図され、又は以下で述べられており、或いは当業者にとって想像可能である。本発明の範囲は、幾つかの例、すなわちここに記載された実施形態に限定されるものではない。むしろ、本発明の範囲は、添付された特許請求の範囲を参照することによって規定される。例には、ここに記載されていない、代わりの設計を含む変更が加えられることも可能であり、それはもちろん請求項に記載された範囲内である。
【００１０】
図１は、フィルタされた流体の取り入れ口を有するシステム２０の概略図である。このシステム２０は、フィルタ組立体２１及びその他の動作部品２６を含んでいる。フィルタ組立体２１は流体フィルタ２４を含んでいる。流体２２がシステム２０に入り、流体フィルタ２４を通過する。フィルタされた流体２５は、その後、フィルタ組立体２１を通過して動作部品２６へと達する。インジケータ２８が、フィルタ組立体２１内のフィルタされた流体２５と連通するよう、システム２０内に配置されている。一例において、システム２０は内燃機関である。空気が空気フィルタを通過し、そのフィルタされた空気が内燃機関のシリンダに供給される。インジケータ２８は、シリンダへと流れるフィルタされた空気に連通するよう、システム内に配置される。フィルタ２４が汚れるか、或いはそれに粒子が詰まると、動作部品２６への流体流が制限される。その制限された流れに基づき、インジケータ２８は、フィルタが詰まったことを推測的に感知し、オペレータに信号を与える。
【００１１】
図２Ａ及び２Ｂは、インジケータ２８の概略図である。インジケータ２８は、内部空洞３２を有するハウジング３０を含んでいる。変形可能なダイヤフラム３４がハウジング３０内に配置されて、内部空洞３２を第１の部屋３６と第２の部屋３８とに分離している。ダイヤフラム３４は、部屋３６、３８間に、ほぼ液漏れ防止のシールを提供する。「ほぼ液漏れ防止の」とは、ダイヤフラム及びインジケータの動作を妨げない程に十分に低い漏れ率を有するシールであることを意味する。第１の部屋３６は、上述したように、流体がフィルタ組立体２１と連通するようになされている。内燃機関に適用された一例においては、第２の部屋が周辺の大気に連通している。図２Ａは、中立位置にあるダイヤフラム３４を示す。ダイヤフラム３４は、第１及び第２の部屋３６、３８内に加わった流体圧力に応じて、中立位置から変形可能である。ダイヤフラム３４はまた、ピン４０に動作可能に結合されており、このピン４０は一例においては第２の部屋３８内に延びている。インジケータ２８はまた、一例においては第２の部屋３８内に配置されたタブ組立体４２を含んでいる。タブ組立体４２は、ピン４０を受け入れるようになされた孔４４を有している。タブ組立体は、第１の軸４８に沿って移動可能なフラグ４６を含んでいる。図２Ａは、フラグがハウジング３０内に配置された第１の位置にあるフラグ４６を示している。図２Ｂでは、フラグ４６は、このフラグ４６がハウジング３０から延びた第２の位置にある。
【００１２】
図２Ａ及び２Ｂは、フラグ４６が第１の位置から第２の位置へどのように移動するのかを示している。図２Ａにおいて、ダイヤフラムが少なくとも中立位置にある時、ピン４０は、第２の軸４９に沿って、ダイヤフラム３４から孔４４へ、タブ組立体４２を通って突出している。第２の軸４９は、第１の軸４８に非平行であり、一例においては軸４８、４９は互いに大体直交している。第１の部屋３６内の流体圧力が第２の部屋３８内の圧力に対して減少すると、ダイヤフラム３４が第１の部屋３６内へと押されて中立位置３４ａから離れる。部屋３６、３８の差圧が閾値すなわち或る選択された量を超えると、フラグ４６が駆動されて第２の位置へ移動する。この例においては、変形したダイヤフラムがピン４０をタブ組立体４２内の孔から移動させ、そして、付勢されたフラグ４６が第２の位置となるよう駆動される。この例においては、オペレータがインジケータ２０をリセットするまで、フラグ４６は第２の位置を維持する。
【００１３】
図３は、インジケータ２８の一例を示している。この例のインジケータ５０はベース５２を含んでおり、これはカバー５４と結合されて内部空洞を形成するようになされている。変形可能なダイヤフラム５６は、内部空洞内に、ベース５２の内部端に対して配置されている。第１の部屋がダイヤフラム５６とベース５２との間に形成され、第２の部屋がダイヤフラム５６とカバー５４との間に形成されている。キャリブレーションバネ５８が、第１の部屋内に配置され、ベース５２とダイヤフラム５６との間に作用する。ダイヤフラムは、第２の部屋内に延びるピン６０に、動作可能に結合されている。タブ組立体６２が第２の部屋内に配置され、リセットバネ６４及びフラグ６６を含んでいる。フラグ６６は孔６８を含んでおり、この孔はフラグ６６が第１の位置にある時にピン６０と一致するようになされている。リセットバネ６４は、フラグ６６を付勢しており、ピン６０が孔６８から外れた場合に、フラグ６６をカバー５４内の開口７０を通って第２の位置へと押す。この例では、案内板７２が第２の部屋内に配置されており、フラグ６６が第１及び第２の位置間を移動する際に、フラグ６６のための移動経路を提供する。
【００１４】
図４は、ベース５２及びキャリブレーションバネ５８を含む、この例のインジケータ５０の部品をより詳細に示している。ベース５２は、タップ７６に接続された土台７４を含んでいる。この例は、土台７４がタップ７６と一体形成されたものを示しているが、それら両者間が他の接続であることも考えられる。
【００１５】
タップ７６は、インジケータ５０をフィルタ組立体２１に取り付けるようになされている。この例では、タップは、タップ７６とフィルタ組立体２１との間に液漏れ防止のシールを形成可能な周囲リッジ７７を含んでいる。例えば、タップ７６は、内燃機関のフィルタ組立体のフィルタヘッド内に固定可能である。周囲リッジ７７は、フィルタ組立体と共に、ほぼ空気漏れ防止のシールを形成し、グロメットは必要ない。タップは、幾つかのフィルタ組立体と固定されるようになされることも可能であり、勾配付きのスレッド（pitched threads）や、（フィルタホースに接続するための）リッジ状のリップ（ridged lip）の付いた延長部等のような構成を含むことで、選択されたフィルタ組立体と共にほぼ液漏れ防止のシールを提供することも可能である。タップ７６はまた、ベース５２の内部へと通じる入り口８０を含んでいる。細長いチューブ８１が、凹部８２を形成しているタップ内へそれと同軸に延びて、入り口８０を規定している。凹部８２は、キャリブレーションバネ５８を収容するのに使用される。ベース５２がフィルタ組立体に結合されると、入り口がフィルタ組立体及び第１の部屋と連通する。
【００１６】
キャリブレーションバネ５８は、ダイヤフラム５６の低圧キャリブレーションを提供する。バネ５８は、ダイヤフラム５６が変形しないように保持する力を与える。第１の部屋内の流体圧力が第２の部屋内の圧力に対して十分低い場合に、バネ５８が圧縮されてピン６０がフラグ６６を開放するよう設計されている。この例では、バネ５８は、バックリングの可能性が減るよう、砂時計の形状をした圧縮バネである。好ましくは、このバネは、システム１０の動作範囲から外れた共振周波数を含んでいる。バネ５８が内燃機関と共に使用されるこの例では、共振周波数は５００Ｈｚから６０００Ｈｚまでの範囲から外れるように選択される。
【００１７】
土台７４は、好ましくは、平なべ形状又は「水盤状」であり、図に示されているように土台７４がタップ７６よりも広い。土台７４の外部は、角張るように離れたリブ７５を含むことで、ベース５２に剛性を加えたり、フィルタ組立体のフィルタヘッド上でインジケータ５０を支持するように構成することも可能である。この例は、内部リップ８４及び入り口先端８５を含んでおり、これらは、インジケータ５０にダメージを生じさせるダイヤフラム５６の過剰変形を防止するように位置決めされている。土台７４を平なべ形状に構成すると、インジケータ５０のサイズと比べて比較的大きな表面積を有するダイヤフラムを使用できるという点で都合がよい。ダイヤフラム５２の表面積が大きいと、より応答性の良いダイヤフラム５２が得られ、また、ダイヤフラム５２の変形がより高精度になる。
【００１８】
図５Ａ、５Ｂ、及び５Ｃは、一例のインジケータ５０で使用するのに適した、動作可能にピンに結合されたダイヤフラムの３つの異なる例を示している。図５Ａに示された第１の例のダイヤフラム５２ａは、大体柔軟なダイヤフラム部材１５２ａと、ピン１６０ａを有する大体堅固な保護ディスク１８６ａとを含んでいる。ダイヤフラム部材１５２ａは、土台７４に渡って固定するのに、そして、第１の部屋におけるダイヤフラム１５２ａの端の周囲にほぼ液漏れ防止のシールを提供するのに、十分な大きさの直径を有している。保護ディスク１８６ａは、ダイヤフラム部材１５２ａの直径よりも小さな直径を有し、ダイヤフラム部材１５２ａの端が第１の部屋へと変形するのを可能にする。保護ディスク１８６ａは、ダイヤフラム部材１５２ａとキャリブレーションバネ５８の間に配置され、バネ５８に作用してダイヤフラム部材１５２ａが裂けるのを保護するのに適した面を提供する。ピン１６０ａは、ダイヤフラム部材１５２ａ中の孔１８８を通るように適合され、第２の部屋内に伸びてタブ組立体４２と係合している。ピン１６０ａは、インジケータ５０が正しく動作するのを可能にする上で十分に低い液漏れ率を提供するよう、孔１８８内に適合されている。ここに示された例では、ディスク８６ａ及びダイヤフラム５２は、その他の点では、ダイヤフラム５２ａ内で互いに付着されてはいない。
【００１９】
図５Ｂに示された第２の例は、ピン１６０ｂを有する比較的堅固な内側ディスク１８６ｂと、比較的柔軟な外側リング１５２ｂとを含み、これらは互いに付着されて単一の部品を形成している。柔軟な外側リング１５２ｂは、変形の全ストロークに渡って、及びインジケータ５０の意図される温度範囲に渡って、フレキシブルなシールを可能とする程に十分広い。堅固な内側ディスク１８６ｂは、図５Ａに示した２部品からなるダイヤフラム−ピンにおける保護ディスク１８６ａを必要としない。ダイヤフラム部材５２ｂは、内側ディスク１８６ｂと外側リング１５２ｂとの間にほぼ液漏れ防止のシールを形成するよう製造される。
【００２０】
図５Ｃに示された第３の例は、２つの比較的堅固なディスク１８６ｃ、１８８ｃの間にサンドイッチされた比較的柔軟な部材１５２ｃを有するダイヤフラム５２ｃを含んでいる。ディスク１８６ｃ及び１８８ｃは、互いにリベット留めされている。ディスク１８６ｃは、キャリブレーションバネ５８に作用するようになされている。ディスク１８８ｃは、タブ組立体６２を駆動するようになされた、一体形成されたピン１６０ｃを含んでいる。
【００２１】
図６は、案内板７２及びタブ組立体６２の特別な例を示している。タブ組立体６２は、フラグ６６及びリセットバネ６４を含んでいる。案内板７２は、インジケータ５０が組み立てられた時にシールを形成するよう、土台７４にダイヤフラム５２を圧するのに使用され得る。案内板７２は主表面７３を含んでいる。この例における案内板７２は、フラグ６６の運動経路を規定するための構造を提供する。この案内板はまた、リセットバネ６４を巻き付け可能な面を提供することもできる。リセットバネ６４はまた、カバー５４に作用可能である。図示された案内板は、幾つかのケース支持部８９を含んでおり、これらは案内板７２とカバー５４との間に空間を維持してフラグ６６の自由な動きを可能にするのに使用される。フラグ案内部９１はフラグ６６の横方向の動きを制限する。この特別な例においては、案内板７２はまた、リセットバネ支持部９２を含んでおり、これはリセットバネ６４と干渉している。高さロック部９４が案内板７２の周囲の回りに配置されることで、カバー５４のベース面で案内板の主表面７３を大体平行な平面内に維持する。案内板はまた孔９５を含んでおり、ピン６０がタブ組立体６２に係合するよう、孔９５を介して延びることができる。理解されるように、フラグ及びリセットバネの経路を規定するための構造はまた、カバー５４に含まれていてもよい。
【００２２】
図６は、タブ組立体６２の１つの特別な例を示している。フラグ６６は、主要部分９６及びフランジ９８を含んでいる。主要部分９６は、タブ組立体６２を第１の位置に保持するために、ピン６０と一致するようになされた孔６８を含んでいる。フランジ９８は、内部空洞に入ってくる塵埃又はその他の粒子の量を減少させるために設けられている。フランジ９８はまた、これが押されることでインジケータをリセットし、フラグ６６を第２の位置から元の第１の位置へと移動する。この例では、フラグ６６は、カバー５４における開口７０を通って僅かに延びており、フランジ９８はカバー５４の外に配置されている。タブ組立体６２が第１の位置にある時、主要部分９６はほぼカバー５４内に配置される。タブ組立体６２が第２の位置にある時、主要部分９６の少なくとも一部分がカバー５４の外に露呈される。
【００２３】
主要部分９６は、幾つかの追加の部品又は構成を含むことができる。例えば、主要部分９６は、フラグ６６と案内板７２（或る例ではカバー５４）との間の面接触を減らす滑りリブ９７を含んでいる。主要部分９６はまた、停止部９９を含んでおり、これはケース支持部８９のような案内板（又はカバー）の構造のうちの１つに作用して、フラグ６６がインジケータ５０から抜けてしまうのを防止する。更に、主要部分９６は、フラグ６６が第２の位置から第１の位置へ移動される際にピン６０を孔６８内に案内してロックするのを援助するための、角度の付いた端部１０１を含むことが可能である。主要部分９６はまた、リセットバネ６４と係合する保持部分１０３又は保持端部を含むことも可能である。特別な例では、リセットバネはねじりバネである。
【００２４】
図７は、タブ組立体１０４の他の実施形態を示している。この実施形態においては、リセットバネ１０６が圧縮バネである。フラグ６６は、主要部分９６におけるフランジ９８とは反対側に、リセットバネ１０６と干渉するための丸出隅（bull nose）１０８を含んでいる。この丸出隅１０８は圧縮バネコイル内に挿入されてもよく、適所にバネを保持するよう干渉はまり（an interference fit）が使用される。
【００２５】
今、幾つかの実施形態について、本発明を記載してきた。上述した詳細な記載及び例は、理解を明確にするためにのみ与えられている。当業者であれば、上述した実施形態において、本発明の範囲及び精神から外れることなしに多くの変更を行なうことが可能であると認めるであろう。従って、本発明の範囲は、本開示において記載された厳密な細部及び構造に限定されるべきではなく、添付された特許請求の範囲及びその均等物によって限定される。
【図面の簡単な説明】
【００２６】
【図１】本開示の周囲環境を示す概略図である。
【図２Ａ】本開示のインジケータを示す概略図である。
【図２Ｂ】本開示のインジケータを示す概略図である。
【図３】図２Ａ及び２Ｂのインジケータの特別な例を示す分解図である。
【図４】図３の特別な例の一部分を示す部分切断側面図である。
【図５Ａ】図３の例への使用に適したピンに動作可能に結合されたダイヤフラムの一例を示す斜視図である。
【図５Ｂ】図３の例への使用に適したピンに動作可能に結合されたダイヤフラムの一例を示す斜視図である。
【図５Ｃ】図３の例への使用に適したピンに動作可能に結合されたダイヤフラムの一例を示す斜視図である。
【図６】図３の例におけるインジケータの選択された一部分を示す展開斜視図である。
【図７】図３の例における図６に示した部分の一部品の第２の実施形態を示す図である。
【図１】
2008528856.tif 000003
【図２Ａ】
2008528856.tif 000004
【図２Ｂ】
2008528856.tif 000005
【図３】
2008528856.tif 000006
【図４】
2008528856.tif 000007
【図５Ａ】
2008528856.tif 000008
【図５Ｂ】
2008528856.tif 000009
【図５Ｃ】
2008528856.tif 000010
【図６】
2008528856.tif 000011
【図７】
2008528856.tif 000012
【国際調査報告】
2008528856.tif 000013
2008528856.tif 000014